(57)【要約】【課題】開封後に再利用するときの利便性を向上すると共に、長期に亘って再利用できる合成樹脂製フィルム封筒を提供する。【解決手段】上部に開口部２を有する物品収納室３を挟んで配置された合成樹脂製の表裏フィルム４，５により袋体６を構成し、表フィルム４に開口部を超えて上方に延設したフラップ７を設け、該フラップ７を折り曲げて裏フィルム５と接合させることにより開口部２を閉鎖するようにした構成において、フラップ７と裏フィルム５の接合手段は、フラップ７の先端部７ａと裏フィルム５の相互に設けた封緘用粘着部材１０と、先端部７ａと折曲部８の間に位置するフラップ７の中間部７ｂと裏フィルム５の相互に設けた着脱自在なファスナー部材１１とから構成される。【選択図】図１
0003129998.tif 000002
【実用新案登録請求の範囲】
【請求項１】
上部に開口部(2)を有する物品収納室(3)を挟んで配置された合成樹脂製の表裏フィルム(4,5)により袋体(6)を構成し、前記表裏フィルム(4,5)のうち一方のフィルム(4)に前記開口部(2)を超えて上方に延びるフラップ(7)を設け、該フラップ(7)を前記開口部(2)の開口縁近傍に設けた折曲部(8)を介して折り曲げ、他方のフィルム(5)に対向させた状態で接合させることにより前記開口部(2)を閉鎖するようにした合成樹脂製フィルム封筒において、
前記フラップ(7)と他方のフィルム(5)の接合手段は、該フラップ(7)の先端部(7a)と他方のフィルム(5)の相互に設けた封緘用粘着部材(10)と、前記先端部(7a)と折曲部(8)の間に位置するフラップ(7)の中間部(7b)と他方のフィルム(5)の相互に設けた着脱自在なファスナー部材(11)とから構成されていることを特徴とする合成樹脂製フィルム封筒。
【請求項２】
前記フラップ(7)は、ファスナー部材(11)を設けた中間部(7b)から封緘用粘着部材(10)を設けた先端部(7a)を切り離し自在とする分離線手段(12)を備えていることを特徴とする請求項１記載の合成樹脂製フィルム封筒。
【考案の詳細な説明】
【技術分野】
【０００１】
本考案は、郵便や宅配便等において取扱いが可能な封筒に関し、特にカタログやパンフレット等の小冊子を送付するのに適した合成樹脂製フィルム封筒に関する。
【背景技術】
【０００２】
近年、通信販売カタログや製品パンフレット等の小冊子を郵便や宅配便によって送付する際、薄手の合成樹脂フィルムから成る封筒が使用される。この種の封筒は、例えば、上部に開口部を有する物品収納室を挟んで配置された表裏フィルムにより袋体が構成されており、表裏フィルムのうち一方のフィルムに開口部を超えて上方に延びるフラップが設けられ、該フラップを折り曲げて袋体の表面に接着することにより封緘できるようになっている。このような合成樹脂製フィルム封筒は届先に配送されると、フラップが袋体の表面から引き剥がされることによって開封され、物品収納室から小冊子等の物品が抜き取られた後、廃棄処分となる。従って、従来の合成樹脂製フィルム封筒は、配送時のみに使用されることを前提としている。
【０００３】
【特許文献１】特開２００６−１０３７１０号公報
【考案の開示】
【考案が解決しようとする課題】
【０００４】
上記のような合成樹脂製フィルム封筒は近年増加の傾向にあり、配送後、合成樹脂製フィルム封筒を廃棄処分すると、資源の浪費に繋がると共に、焼却処分が為されれば環境問題を引き起こす。そのため、配送物を抜き取った後も、合成樹脂製フィルム封筒を書類用フォルダ等として再利用することが望まれる。
【０００５】
しかしながら、従来の合成樹脂製フィルム封筒は、粘着材によってフラップが袋体に接着されており、開封時にフラップを袋体から引き剥がすと、フラップや袋体に粘着材が残留する。そのため、封筒を再利用するために書類を封筒内に収めようとすると、フラップに残留した粘着材が書類に付着するなどし、スムーズに書類を収納することができない。また、再利用の初期においては、フラップや袋体に残留した粘着材はフラップと袋体の接着手段として有効に機能するが、フラップの開閉操作を繰り返す度に粘着材による接着力は低下し、いずれフラップを袋体に固定することができなくなる。それ故、従来の封筒は、再利用時の利便性に欠けると共に、長期に亘って再利用できるものではなかった。
【０００６】
本考案は、上記従来の問題点を解決することを目的としてなされたものであり、開封後に再利用するときの利便性を向上すると共に、長期に亘って再利用できる合成樹脂製フィルム封筒を提供するものである。
【課題を解決するための手段】
【０００７】
上記目的を達成するため、請求項１に係る考案が解決手段として採用したところは、上部に開口部(2)を有する物品収納室(3)を挟んで配置された合成樹脂製の表裏フィルム(4,5)により袋体(6)を構成し、前記表裏フィルム(4,5)のうち一方のフィルム(4)に前記開口部(2)を超えて上方に延びるフラップ(7)を設け、該フラップ(7)を前記開口部(2)の開口縁近傍に設けた折曲部(8)を介して折り曲げ、他方のフィルム(5)に対向させた状態で接合させることにより前記開口部(2)を閉鎖するようにした合成樹脂製フィルム封筒において、前記フラップ(7)と他方のフィルム(5)の接合手段は、該フラップ(7)の先端部(7a)と他方のフィルム(5)の相互に設けた封緘用粘着部材(10)と、前記先端部(7a)と折曲部(8)の間に位置するフラップ(7)の中間部(7b)と他方のフィルム(5)の相互に設けた着脱自在なファスナー部材(11)とから構成した点にある。
【０００８】
また請求項２に係る考案が解決手段として採用したところは、請求項１記載の合成樹脂製フィルム封筒において、前記フラップ(7)が、ファスナー部材(11)を設けた中間部(7b)から封緘用粘着部材(10)を設けた先端部(7a)を切り離し自在とする分離線手段(12)を備えた構成にある。
【０００９】
尚、より好ましい形態は、上部に開口部(2)を有する物品収納室(3)を挟んで配置された合成樹脂製の表裏フィルム(4,5)により袋体(6)を構成し、前記表裏フィルム(4,5)のうち一方のフィルム(4)に前記開口部(2)を超えて上方に延びるフラップ(7)を設け、該フラップ(7)を前記開口部(2)の開口縁近傍に設けた折曲部(8)を介して折り曲げ、他方のフィルム(5)に対向させた状態で接合させることにより前記開口部(2)を閉鎖するようにした合成樹脂製フィルム封筒において、前記フラップ(7)と他方のフィルム(5)の接合手段が、該フラップ(7)の先端部(7a)に設けた封緘用粘着部材(10)と、前記先端部(7a)と折曲部(8)の間に位置するフラップ(7)の中間部(7b)と他方のフィルム(5)の両面に設けた着脱自在なファスナー部材(11)とから構成されており、前記フラップ(7)が、ファスナー部材(11)を設けた中間部(7b)から封緘用粘着部材(10)を設けた先端部(7a)を切り離し自在とする分離線手段(12)を備えた構成である。かかる好ましい構成の場合には、封筒の受領者が袋体(6)を書類等保管用袋として再利用する場合、粘着力が残存する封緘用粘着部材(10)を備えた先端部(7a)をフラップ(7)から切り離すことができるので、該先端部(7a)を切り離した状態でフラップ(7)による開閉が可能になる。
【考案の効果】
【００１０】
本考案によれば、袋体６を送付用の封筒として使用するときには、折り曲げたフラップ７を封緘用粘着部材１０で他方のフィルムに接着すれば、開口部２が封緘されるので、従来の封筒と同様に使用することができる。そして該封筒の受領者は、開封後、袋体６をフォルダのような書類等保管用袋として再利用できるので、省資源と環境維持に貢献する。この際、封緘用粘着部材１０は開封により粘着力を低下ないし喪失しているが、折り曲げたとき対向するフラップ７と他方のフィルム５の相互に着脱自在なファスナー部材１１が設けられているので、開口部２の開閉を繰り返して行うことができる。
【００１１】
特に、請求項２に記載の考案によれば、フラップ７に分離線手段１２を設けているので、封筒の受領者が袋体６を書類等保管用袋として再利用する場合、フラップ７の先端部７ａを切り離した状態でフラップ７による開閉が可能になり、物品の出し入れが行い易く、利便性が向上する。
【考案を実施するための最良の形態】
【００１２】
以下図面に基づいて本考案に係る合成樹脂製フィルム封筒の好ましい実施形態を詳述する。
【００１３】
（第１実施形態）
図１乃至図４は第１実施形態における合成樹脂製フィルム封筒１を示す図である。図１において、合成樹脂製フィルム封筒１は、上部に開口部２を有する物品収納室３を挟んで配置された表裏フィルム４、５により袋体６を構成し、表フィルム４は開口部２を超えて上方に延設したフラップ７を備えている。本実施形態において表フィルム４及び裏フィルム５は、１枚の合成樹脂製フィルムを袋体６の底部６ａで折り返した半折フィルムによって形成されており、袋体６の両サイドにおいて溶断その他の方法により熱溶着され、サイドシール部１５、１５を形成している。そしてフラップ７は表フィルム４に対して一体的に設けられている。
【００１４】
フラップ７を含む表裏フィルム４、５は、延伸ポリプロピレン（ＯＰＰ）と無延伸ポリプロピレン（ＣＰＰ）を適宜選択したドライラミネートフィルムとするのが好ましいが、これに限定されるものではなく、任意の合成樹脂製フィルムによって構成される。表フィルム４は全面或いは一部が透明であり、図２（ｂ）に示す如く、送付時の宛先を表示するための表示部４ａが設けられる。表示部４ａは例えば宛先を印刷したラベルを貼付したものであっても良いし、透明窓として物品収納室３に収納される送り状の宛先を外部から視認可能としたものであっても良い。また裏フィルム５の全面或いは一部に、広告や絵柄等をグラビア印刷で表しても良いが、全体を透明としても良い。
【００１５】
フラップ７は開口部２の開口縁近傍に設けた折曲部８を介して折曲自在となっており、開口部２を被うように折り曲げることにより、裏フィルム５と接合させて袋体６の開口部２を閉鎖するように構成されている。本実施形態においてフラップ７と裏フィルム５を接合する接合手段は、フラップ７の先端部７ａと裏フィルム５の相互に設けた封緘用粘着部材１０と、先端部７ａと折曲部８の間に位置するフラップ７の中間部７ｂと裏フィルム５の相互に設けた着脱自在なファスナー部材１１とから構成されている。
【００１６】
裏フィルム５との接合面におけるフラップ７の先端部７ａに、剥離シート９に被覆された封緘用粘着部材１０が帯状に設けられている。この封緘用粘着部材１０が設けられた先端部７ａと折曲部８の間のフラップ７の中間部７ｂには面ファスナー部材１１ａが設けられる。更にフラップ７は、封緘用粘着部材１０を設けた先端部７ａと面ファスナー部材１１ａを設けた中間部７ｂとの間に、両者を切り離すためのミシン目や線状溝等の分離線手段１２が設けられている。
【００１７】
一方、裏フィルム５には、封緘用粘着部材１０と接着する部分に帯状の封緘確認テープ１３が設けられる。封緘確認テープ１３は、不正開封を防止するためのものであり、フラップ７の封緘用粘着部材１０と接着した後、フラップ７が引き剥がされると、封緘確認テープ１３の表層部分が封緘用粘着部材１０に付着したまま剥離し、内層部分から開封済みであることを示す表示が現れるテープである。また裏フィルム５において、封緘確認テープ１３と開口部２の開口縁との間には面ファスナー部材１１ｂが設けられる。面ファスナー部材１１ｂは、フラップ７に設けた面ファスナー部材１１ａと共に一対の面ファスナーを構成し、フラップ７と裏フィルム５とを着脱自在に係着させるファスナー部材１１を構成する。尚、図例では、ファスナー部材１１は合成樹脂製フィルム封筒１の幅方向中央に設けているが、これに限られるものではなく、長尺のファスナー部材１１を幅方向の全域にわたって設けても良いし、また複数のファスナー部材１１を幅方向に沿って配置しても良い。またファスナー部材１１は面ファスナーであることに限定されるものではなく、例えば着脱自在なボタン式のファスナーであってもよい。
【００１８】
また図例では、フラップ７の先端部７ａに封緘用粘着部材１０を設け、裏フィルム５に封緘確認テープ１３を設ける構成としているが、これとは逆に、フラップ７の先端部７ａに封緘確認テープ１３を設け、裏フィルム５に封緘用粘着部材１０を設けた構成としても良い。また封緘確認テープ１３は必須のものではなく、不正開封を防止する必要がない場合には特に設けなくとも良い。すなわち、本実施形態においてはフラップ７の先端部７ａが封緘用粘着部材１０によって裏フィルム５に固着される構成であれば良い。
【００１９】
上記構成の合成樹脂製フィルム封筒１は、開口部３を介してカタログ等の小冊子を物品収納室３に収納した後、剥離シート９を剥がしてフラップ７を折曲部８で折り曲げることにより、フラップ７の先端部７ａに設けた封緘用粘着部材１０が裏フィルム５の封緘確認テープ１３に固着され、封緘される。図２及び図３は封緘状態を示す図である。小冊子等の物品１４を収納して封緘した状態においては、フラップ７の先端部７ａが封緘用粘着部材１０によって裏フィルム５に固着されると共に、フラップ７の先端部７ａと折曲部８の間の中間部７ｂがファスナー部材１１によって裏フィルム５に係着された構成となる。この封緘状態で合成樹脂製フィルム封筒１は投函され、郵便や宅配便によって配送される。
【００２０】
そして届先に配送された後、受領者により合成樹脂製フィルム封筒１が開封される。このとき、フラップ７の先端部７ａを裏フィルム５（厳密には封緘確認テープ１３）から引き剥がすことにより開封される。そして開封後、分離線手段１２に沿ってフラップ７を分断することによりフラップ７の先端部７ａを中間部７ｂから引き離す。但し、本実施形態においてはフラップ７の先端部７ａと中間部７ｂとの間に分離線手段１２を設けているので、該分離線手段１２に沿ってフラップ７を分断することにより開封しても良い。図４は開封状態を示す図であり、（ａ）はフラップ７の先端部７ａを裏フィルム５から引き剥がした後、先端部７ａを取り除く状態を示している。図例に示すようにフラップ７を裏フィルム５から引き剥がした後、分離線手段１２に沿って先端部７ａをフラップ７から分離することにより、フラップ７から封緘用粘着部材１０が付着した先端部７ａを取り除くことができる。また図４（ｂ）は分離線手段１２に沿ってフラップ７の先端部７ａと中間部７ｂとを切り離すことにより開封した状態を示している。図４（ｂ）のような開封態様であっても、開封後のフラップ７には封緘用粘着部材１０が付着した先端部７ａが除かれる。そして図４（ａ）及び（ｂ）に示す開封状態で開口部５から物品１４が取り出され、その後、合成樹脂製フィルム封筒１はフォルダ等の書類保管用袋として再利用される。
【００２１】
再利用の際、合成樹脂製フィルム封筒１の物品収納室３には書類等の物品が収められる。フラップ７から先端部７ａを分離しておけば、フラップ７には粘着部材が存在しない状態となるため、書類の出し入れ時に粘着部材が書類に付着することはない。但し、フラップ７から先端部７ａを分離していない場合であっても、本実施形態では封緘用粘着部材１０の表面に封緘確認テープ１３の表層部分が付着しているので、開口部２を介して書類を出し入れしても粘着部材１０が書類に付着することはない。そのため、合成樹脂製フィルム封筒１は、再利用の際、書類の出し入れをスムーズに行うことができる。そして書類を収納した後、折曲部８を介してフラップ７を折り曲げることにより、開口部２が閉鎖される。このとき、フラップ７に設けた面ファスナー部材１１ａと裏フィルム５に設けた面ファスナー部材１１ｂが互いに係着してフラップ７が固定され、開口部２の閉鎖状態を保持するので、合成樹脂製フィルム封筒１を持ち運ぶ場合であっても物品収納室３に収納した書類が封筒から落下することがない。従って、合成樹脂製フィルム封筒１は、再利用時の書類の出し入れがスムーズであると共に、フラップ７がファスナー部材１１によって裏フィルム５に係着され、開口部２を閉鎖状態で保持するので、使い勝手が良い。
【００２２】
またファスナー部材１１を構成する面ファスナー部材１１ａ、１１ｂは互いに着脱自在であるので、ファスナー部材１１によってフラップ７を裏フィルム５に着脱することにより、合成樹脂製フィルム封筒１の開口部２を開閉自在である。そのため、物品収納室３に収納した書類を取り出す際には、フラップ７と裏フィルム５との係着状態を解除して開口部２を開放すれば、容易に書類を取り出せる。また書類を保管する際には、書類を収納してフラップ７を折り曲げ、ファスナー部材１１を介してフラップ７と裏フィルム５とを係着させれば、書類にゴミ等が付くこともなく、保管に適した態様となる。そしてフラップ７の着脱操作を繰り返した場合であっても、ファスナー部材１１による着脱自在な効果は低下しないので、長期間に亘って再利用できるようになっている。
【００２３】
図５は本実施形態における合成樹脂製フィルム封筒１の製造方法を示す図である。例えば、必要な部分にグラビア印刷が施され、ドライラミネート加工されたシート状フィルムを原反から繰り出し、図５（ａ）に示すように半折重合状態とされたシート状フィルムから成る表裏フィルム４、５の連続帯状体が帯長手方向に間欠移送される。この際、表フィルム４は裏フィルム５を超えて延びるフラップ７を備えている。フラップ７は連続帯状体の帯長手方向に沿って延設された封緘用粘着部材１０を備えており、この封緘用粘着部材１０は剥離テープ９に被覆されている。またフラップ７には封緘用粘着部材１０と平行して分離線手段１２が設けられている。裏フィルム５は、連続帯状体の帯長手方向に沿って配置された封緘確認テープ１３を備えている。更にフラップ７と裏フィルム５のそれぞれは、帯長手方向に所定間隔で設けられた面ファスナー部材１１ａ、１１ｂを備えている。
【００２４】
このような半折状態の表裏フィルム４、５を所定幅Ｗ毎に間欠移送させながら帯幅方向の溶断線Ｃに沿って溶断することにより、溶断線Ｃに沿って表裏フィルム４、５が熱溶着されたサイドシール部１５、１５を形成して、図５（ｂ）に示すように合成樹脂製フィルム封筒１の完成品を一枚ずつ得る。但し、サイドシール部１５、１５は熱溶着シールとして形成する場合の他、超音波シールとして形成しても良い。
【００２５】
このようにして得られる合成樹脂製フィルム封筒１は、上述したように封緘用粘着部材１０によりフラップ７を裏フィルム５に固着した封緘状態として郵便や宅配便による配送が可能であり、また開封後は面ファスナー部材１１ａ、１１ｂで構成されるファスナー部材１１によりフラップ７を裏フィルム５に着脱することで開口部２が開閉自在であり、書類用フォルダ等として長期に亘って再利用できるように構成される。
【００２６】
尚、本実施形態においては、表フィルム４がフラップ７を備える場合を例示したが、これに限られるものではなく、裏フィルム５がフラップ７を備える構成としても良い。
【００２７】
（第２実施形態）
図６は第２実施形態における合成樹脂製フィルム封筒１Ａを示す図である。図６において、合成樹脂製フィルム封筒１Ａは、上部に開口部２を有する物品収納室３を挟んで配置された表裏フィルム４、５により袋体６を構成し、表フィルム４は開口部２を超えて上方に延設したフラップ７を備えている。本実施形態では、表フィルム４及び裏フィルム５のそれぞれが１枚の合成樹脂製フィルムで構成され、袋体６の底部６ａで表裏フィルム４、５が互いに熱溶着されて底部シール部１６を構成している。また袋体６の両サイドにおいては表裏フィルム４、５が互いに熱溶着され、袋体６のサイドシール部１５、１５を構成している。尚、合成樹脂製フィルム封筒１Ａのその他の構成は、第１実施形態の合成樹脂製フィルム封筒１と同様である。
【００２８】
図７は本実施形態における合成樹脂製フィルム封筒１Ａの製造方法を示す図である。例えば、片面にグラビア印刷及びドライラミネート加工した裏フィルム用シート状フィルムと、片面が無地のドライラミネート加工した表フィルム用シート状フィルムをそれぞれ原反から繰り出し、図７（ａ）に示すように重合状態とされた２枚のシート状フィルムから成る表裏フィルム４、５の連続帯状体が帯長手方向に間欠移送される。この際、表フィルム４は裏フィルム５を超えて延びるフラップ７を備えている。フラップ７は連続帯状体の帯長手方向に沿って延設された封緘用粘着部材１０を備えており、この封緘用粘着部材１０は剥離テープ９に被覆されている。またフラップ７には封緘用粘着部材１０と平行して分離線手段１２が設けられている。裏フィルム５は、連続帯状体の帯長手方向に沿って配置された封緘確認テープ１３を備えている。更にフラップ７と裏フィルム５のそれぞれは、帯長手方向に所定間隔で設けられた面ファスナー部材１１ａ、１１ｂを備えている。
【００２９】
尚、裏フィルム用シート状フィルムにグラビア印刷を施す際、帯幅方向に封筒２枚分の長さを有する裏フィルム用シート状フィルムを用意し、これにグラビア印刷を施せば同時に２面を印刷できるので印刷コストが半減する。この場合、印刷後、帯幅方向の中央で分断することにより、図７（ａ）に示す表裏フィルム４、５の連続帯状体が得られる。
【００３０】
このような重合状態の表裏フィルム４、５を所定幅Ｗ毎に間欠移送させながら帯幅方向の溶断線Ｃに沿って溶断することにより、溶断線Ｃに沿って表裏フィルム４、５が熱溶着されたサイドシール部１５、１５を形成して、図７（ｂ）に示すような袋体６の半製品を一枚ずつ得る。尚、本実施形態においてもサイドシール部１５、１５は熱溶着シールとして形成する場合の他、超音波シールとして形成しても良い。そして図７（ｃ）に示すように袋体６の底部６ａで表フィルム４を裏フィルム５に重合させるように折曲して熱溶着し、底部シール部１６を形成し、合成樹脂製フィルム封筒１Ａの完成品を得る。但し、表フィルム４と裏フィルム５の端部を揃え、折曲することなく重合させた状態のままで熱溶着した底部シール部１６を形成し、袋体６の底部６ａを構成しても良い。
【００３１】
このようにして得られる合成樹脂製フィルム封筒１Ａは、第１実施形態と同様に、封緘用粘着部材１０によりフラップ７を裏フィルム５に固着した封緘状態として郵便や宅配便による配送が可能であり、また開封後は面ファスナー部材１１ａ、１１ｂで構成されるファスナー部材１１によりフラップ７を裏フィルム５に着脱することで開口部２が開閉自在であり、書類用フォルダ等として長期に亘って再利用できるように構成される。
【図面の簡単な説明】
【００３２】
【図１】第１実施形態における合成樹脂製フィルム封筒を示す図であり、（ａ）は封筒平面図を示し、（ｂ）は（ａ）のＡ−Ａ断面図を示す。
【図２】封緘状態における合成樹脂製フィルム封筒の斜視図であり、（ａ）は裏フィルム側の斜視図を示し、（ｂ）は表フィルム側の斜視図を示す。
【図３】封緘状態における合成樹脂製フィルム封筒の断面図である。
【図４】開封状態における合成樹脂製フィルム封筒の斜視図であり、（ａ）はフラップの先端部を裏フィルムから引き剥がした後、フラップ先端部を取り除いた開封状態を、（ｂ）はミシン目に沿ってフラップの先端部と中央部を切り離すことにより開封した状態を示す。
【図５】第１実施形態における合成樹脂製フィルム封筒の製造方法を示す図である。
【図６】第２実施形態における合成樹脂製フィルム封筒を示す図であり、（ａ）は封筒平面図を示し、（ｂ）は（ａ）のＢ−Ｂ断面図を示す。
【図７】第２実施形態における合成樹脂製フィルム封筒の製造方法を示す図である。
【符号の説明】
【００３３】
１，１Ａ  合成樹脂製フィルム封筒
２  開口部
３  物品収納室
４  表フィルム
５  裏フィルム
６  袋体
７  フラップ
７ａ  先端部
７ｂ  中間部
８  折曲部
１０  封緘用粘着部材
１１  ファスナー部材
１１ａ，１１ｂ  面ファスナー部材
１２  分離線手段
【図１】
0003129998.tif 000003
【図２】
0003129998.tif 000004
【図３】
0003129998.tif 000005
【図４】
0003129998.tif 000006
【図５】
0003129998.tif 000007
【図６】
0003129998.tif 000008
【図７】
0003129998.tif 000009